(57)【特許請求の範囲】
【請求項１】
機械室に設けられた巻上機のシーブに巻回すると共にその両側端を上記機械室の床に支持した複数の主ロープと、昇降路内にこの主ロープの両側端と上記シーブとの間の主ロープにそれぞれ吊持した乗かごおよびカウンタウエートとを有して構成され、上記主ロープの両側端を調整する２対１ローピングエレベータの主ロープ端部調整方法において、上記乗かごを上記昇降路の頂部近傍に仮保持すると共に上記カウンタウエートを上記昇降路の底部近傍に保持し、上記機械室から主ロープ端引き上げ手段を上記乗かごの上部まで降下させ、この主ロープ端引き上げ手段に主ロープ保持手段を介して上記主ロープを締結し、上記主ロープ端引き上げ手段により引き上げた状態で上記主ロープの両側端の調整作業を行ない、その後、上記主ロープ引き上げ手段により上記主ロープの両側端を上記乗かご側へ降下させてその調整作業を行ない、その後、調整された上記主ロープの両側端を上記主ロープ引き上げ手段により再び引き上げて所定の固定作業を行なうようにしたことを特徴とする２対１ローピングエレベータの主ロープ端部調整方法。
【請求項２】
請求項１記載のものにおいて、上記昇降路の頂部近傍に仮保持した上記乗かごは、上記昇降路の最上階乗場近傍とし、この最上階乗場の開口部を上記乗かごによって養生したことを特徴とする２対１ローピングエレベータの主ロープ端部調整方法。
【請求項３】
機械室に設けられた巻上機のシーブに巻回すると共にその両側端を上記機械室の床に支持した複数の主ロープと、昇降路内にこの主ロープの両側端と上記シーブとの間の主ロープにそれぞれ吊持した乗かごおよびカウンタウエートと、このカウンタウエートの下方に配置した既設カウンタウエート用緩衝器とを有して構成され、上記主ロープの両側端を調整する２対１ローピングエレベータの主ロープ端部調整方法において、上記既設カウンタウエート用緩衝機を取り外し、上記既設カウンタウエート用緩衝機による支持高さよりも低い位置に上記カウンタウエートを支持して上記乗かごを所定の位置に支持し、このときの上記乗かごの上部から上記主ロープの両側端の調整作業を行なうようにしたことを特徴とする２対１ローピングエレベータの主ロープ端部調整方法。
【請求項４】
請求項３記載のものにおいて、上記既設カウンタウエート用緩衝器を取り外した後、それよりも小さな荷重に対応する仮設緩衝器を同部に配置したことを特徴とする２対１ローピングエレベータの主ロープ端部調整方法。
【請求項５】
請求項３記載のものにおいて、上記所定の位置に支持した上記乗かごの下部と、上記乗かごに対応する乗場床面間に開口部養生手段を設けたことを特徴とする２対１ローピングエレベータの主ロープ端部調整方法。
【発明の詳細な説明】
【０００１】
【発明の属する技術分野】
本発明は２対１ローピングエレベータの主ロープ端部調整方法に関する。
【０００２】
【従来の技術】
従来の２対１ローピングエレベータの主ロープ交換方法は、特開平３−６１２７６号公報に記載されており、これを図１２に示したエレベータの縦断面図を用いて説明する。
【０００３】
主ロープ交換作業は、先ず、乗かご２を乗かご吊り上げ手段１３で最上階近傍で吊り下げると共に、カウンタウエート３の下部に支持体１２を配置して支え、この状態で、主ロープ７のカウンタウエート側固定端１１の近傍における機械室４の床に主ロープ交換補助装置１４を吊り下げ、主ロープ７におけるカウンタウエート３のカウンタプーリ９に巻回した部分の両上方部をこの主ロープ交換補助装置１４で弾性挟持し、主ロープ７が自重で落下しないようにテンションを主ロープ交換補助装置１４に負荷させるようにしている。その後、主ロープ７におけるカウンタウエート側固定端１１の近傍Ａで主ロープ７を切断し、この切断端に乗り場に配置したドラム２０の新主ロープ２１の一端を接続すると共に、主ロープ７における乗かご側固定端１０の近傍Ｃで止め金具から切り離し、この切り離した端を乗り場に配置した回収ドラム２４に巻き付ける。
【０００４】
この状態で、機械室４に設けた巻上機５を低速で駆動しながら、主ロープ７を最上階床に配置した回収ドラム２４に巻き取りながら新主ロープ２１を送り出していた。その後、主ロープ７と新主ロープ２１の連結部Ｂが回収ドラム２４側に現れたら巻上機５を停止させ、主ロープ７と新主ロープ２１の接続を解除し、最後に、この連結を解除した新主ロープ２１の端部を乗かご側固定端１０の止め金具に接続固定すると共に、カウンタウエート側固定端１１近傍における所定の位置で新主ロープ２１を切断し、その切断端部をカウンタウエート側固定端１１の止め金具に接続固定してロープ交換作業を完了していた。上述した主ロープ７の端部作業、つまり切断作業や、切断した主ロープ７の端部と新主ロープ２１の端部の接続作業を行なう場合、乗かご２上に乗った作業者が行なうが、手が届かないので乗かご２上に作業足場を組み立て、この作業足場上でこれらの作業を行なうようにしていた。
【０００５】
【発明が解決しようとする課題】
しかしながら、上述したように従来の主ロープの端部作業は乗かごの上に作業足場を構成し、この作業足場上から行なっていたため、作業足場の搬入およびその組み立てに多くの時間を要し、通常の床面とは異なり乗かご上に組み立てた足場からの作業であるために高所作業で危険性があった。
【０００６】
本発明の目的は、乗かご上に作業足場を設置せずに、安全かつ迅速に主ロープ端部作業を行なうことのできる２対１ローピングエレベータの主ロープ端部調整方法を提供することにある。
【０００７】
【課題を解決するための手段】
本発明は上記目的を達成するために、機械室に設けられた巻上機のシーブに巻回すると共にその両側端を上記機械室の床に支持した複数の主ロープと、昇降路内にこの主ロープの両側端と上記シーブとの間の主ロープにそれぞれ吊持した乗かごおよびカウンタウエートとを有して構成され、上記主ロープの両側端を調整する２対１ローピングエレベータの主ロープ端部調整方法において、上記乗かごを上記昇降路の頂部近傍に仮保持すると共に上記カウンタウエートを上記昇降路の底部近傍に保持し、上記機械室から主ロープ端引き上げ手段を上記乗かごの上部まで降下させ、この主ロープ端引き上げ手段に主ロープ保持手段を介して上記主ロープを締結し、上記主ロープ端引き上げ手段により引き上げた状態で上記主ロープの両側端の調整作業を行ない、その後、上記主ロープ引き上げ手段により上記主ロープの両側端を上記乗かご側へ降下させてその調整作業を行ない、その後、調整された上記主ロープの両側端を上記主ロープ引き上げ手段により再び引き上げて所定の固定作業を行なうようにしたことを特徴とする。
【０００８】
また本発明は上記目的を達成するために、機械室に設けられた巻上機のシーブに巻回すると共にその両側端を上記機械室の床に支持した複数の主ロープと、昇降路内にこの主ロープの両側端と上記シーブとの間の主ロープにそれぞれ吊持した乗かごおよびカウンタウエートと、このカウンタウエートの下方に配置した既設カウンタウエート用緩衝器とを有して構成され、上記主ロープの両側端を調整する２対１ローピングエレベータの主ロープ端部調整方法において、上記既設カウンタウエート用緩衝機を取り外し、上記既設カウンタウエート用緩衝機による支持高さよりも低い位置に上記カウンタウエートを支持して上記乗かごを所定の位置に支持し、このときの上記乗かごの上部から上記主ロープの両側端の調整作業を行なうようにしたことを特徴とする。
【０００９】
本発明の２対１ローピングエレベータの主ロープ端部調整方法は、上述したように主ロープ端引き上げ手段を用いることによって主ロープの端部を機械室から外して乗かご上で作業ができるようにしたり、あるいは既設カウンタウエート側緩衝器を外してカウンタウエートの位置をさらに下げることで乗かごをさらに上昇させた所定の位置に保持したため、乗かごの上部に作業足場を設置することなく、乗かごの上部に乗って主ロープの端部調整作業を行なうことができ、安全かつ迅速に主ロープ端部作業を行なうことができるようになる。
【００１０】
【発明の実施の形態】
以下、本発明の実施の形態を図面によって説明する。
【００１１】
図４は、本発明の一実施の形態による２対１ローピングエレベータの主ロープ端部調整方法を採用した主ロープ交換作業初期状態を示すエレベータの縦断面図である。
【００１２】
このエレベータでは、機械室４に設置した巻上機のシーブ５に巻回した主ロープ７の乗かご側端１０を乗かご２のプーリ８に巻回した後に機械室４の床に固定し、カウンタウエート側端１１はプーリ６およびカウンタウエート３のカウンタプーリ９に巻回した後に機械室４の床に固定している。
【００１３】
主ロープ交換作業は、先ず、第一工程としてカウンタウエート３とほぼ同じ高さ位置となるように乗かご２を停止し、乗かご２上を作業足場としてカウンタプーリ９にロープ交換用ロープ外れ止め３２を設置する。
【００１４】
次に、第二工程として乗かご２を低速上昇運転して図５に示すように昇降路１の最上階乗場３４近傍に停止させ、カウンタウエート３を昇降路１の底部近傍で緩衝器３３よりも上方に位置するように支持体１２に載置して仮保持する。このとき、昇降路１の最上階乗場３４の開口部は乗かご２で養生していることになり、新たな養生装置を開口部に付設する必要がなく、その作業費および材料費などを削減することができる。その後、主ロープ７のカウンタウエート３側が自重で落下することを防ぐために、乗かご２上からカウンタウエート３の上部に位置する二本の主ロープ７部分をロープ保持具２８，２９で建屋梁など図示しない昇降路内強度部材に仮保持する。
【００１５】
次に、第三工程として乗かご２を昇降路１の頂部近傍の強度部材に取り付けた乗かご吊り上げ手段１３で吊り上げ、主ロープ７のテンションを除去して弛ませると共に、主ロープ７における乗かご上プーリ８と機械室４のシーブ５の間に位置する部分を乗かご吊り上げ手段１３に連結したロープ保持具３０により仮保持する。これにより弛みを生じた主ロープ７は、機械室４のシーブ５とそらせプーリ６との間に隙間を生じさせるので、この隙間に養生材１５，１９を挟み、複数本の主ロープ７を複数回に分けて交換する際、その時点で交換していない主ロープ７とシーブ５との摩擦を低減し両者の損傷を防止することができる。
【００１６】
次に、上述した作業後に行なう第四工程である主ロープ７の端部調整方法について図１〜図３および図６を用いて説明する。
【００１７】
複数本の主ロープ７における乗かご側端１０およびカウンタウエート側端１１は、図６に示すように主ロープ止め金具３９に連結したボルト４３を機械室床より導出され、ばね４０を介してナット４１により締め付け固定されている。複数本の主ロープ７のうち交換する必要分、例えば６本のうち３本の乗かご側端１０およびカウンタウエート側端１１では、図６に示すように機械室４よりナット４１を緩めボルト４３の引き上げ代を確保する。このボルト４３を引き上げ、ばね４０の下に引き上げ支持材４２を配置する。
【００１８】
このようにして形成したばね４０の下隙間から主ロープ引き上げ手段３７を図１に示したように送り出す。主ロープ引き上げ手段３７の送り出し側は、主ロープ７を囲むように設けた主ロープ端部保持手段３７ａに連結し、その後、主ロープ引き上げ手段３７を機械室４から引き上げ、図６に示すように主ロープ端部保持手段３７ａを主ロープ止め金具３９の下部に係止させる。この第四工程の端部調整作業は、図１および図２に示すように主ロープ７の乗かご側端１０およびカウンタウエート側端１１でそれぞれ行なう。
【００１９】
この状態で、主ロープ引き上げ手段３７で主ロープ７における乗かご側端１０およびカウンタウエート側端１１の主ロープ止め金具３９を支持しながら、図６に示したナット４１とばね４０を取り外し、図３に示すように乗かご側端１０およびカウンタウエート側端１１を機械室４床から乗かご２上まで降ろす。その後、主ロープ７の端部の作業は乗かご２上で行なうことができる。このため、乗かご２上から昇降路１の天井部の主ロープ７の端部に手が届かない場合でも、乗かご２の上部に図示しない作業足場を設置する必要がない。またこの作業後、乗かご上プーリ８から機械室４床までの距離と、カウンタウエート３側主ロープ保持部２８と機械室４床間での距離とをそれぞれ測定しておく。
【００２０】
次に、第五工程として乗かご側端１０およびカウンタウエート側端１１の近傍、すなわち、乗かご２側では乗かご上プーリ８と乗かご側端１０間で、またカウンタウエート３側では主ロープ保持部２８とカウンタウエート側端１１間で主ロープ７をそれぞれ切断する。続く第六工程では、津５に示したように乗かご２上にテンション負荷装置２７を設置し、主ロープ７における乗かご２側の切断端と、最上階床３４上に配置した新主ロープドラム２０からの新主ロープ２１の一端を、図７に示すようにテンション負荷装置２７へそれぞれ数回半巻き付ける。
【００２１】
テンション負荷装置２７への主ロープ７の巻き付け方は、図８に示す通りであり図中Ａは機械室４へ、またＢは出入口へ導かれる。またテンション負荷装置２７への新主ロープ２１の巻き付け方は、図９に示す通りであり図中Ｂは出入口へ、またＣは主ロープ７のカウンタウエート３側の切断端へ導かれる。このように主ロープ７および新主ロープ２１は同方向へ巻き取るようにテンション負荷装置２７に巻き付けているため、主ロープ７および新主ロープ２１の自重を支持した状態で、主ロープ７を巻き取りながら新主ロープ２１を送り出すことが可能になる。テンション負荷装置２７へ巻き付けた新ロープ２１の送り出し側端は、ガイドプーリ２６を介してカウンタウエート３側の切断端へ接続する。
【００２２】
その後、第七工程として交換を行なう主ロープ７を図４に示すようにロープ保持具２８〜３０から開放する。このとき、テンション負荷装置２７から引き出した新主ロープ２１と、テンション負荷装置２７に回収する主ロープ７の間にテンションがかかるようにテンション負荷装置２７に負荷をかける。この時点で交換されない主ロープ７のテンションは、機械室４のそらせプーリ６付近で除去されており、交換する主ロープ７と新主ロープ２１のテンションは、昇降路１内において全体に掛けられている。
【００２３】
そこで、乗かご２上で低速下降運転を行ない、機械室４の巻上機を駆動させ主ロープ７を回収ドラム２４に巻き取りながら、新主ロープ２１を新主ロープドラム２０より繰り出し、主ロープ７と新主ロープ２１を交換する。新主ロープ２１の主ロープ７との接続部２３がテンション負荷装置２７から一定量引き出されたら運転を停止し、主ロープ７と新主ロープ２１の接続部２３における接続を解除する。交換された新主ロープ２１は、再び主ロープ保持具２８〜３０で仮保持をし、テンション負荷装置２７から抜き取る。
【００２４】
次に、第八工程として先に測定しておいた乗かご上プーリ８から機械室４床までの距離と、カウンタウエート３側の主ロープ保持具２８と機械室４間での距離に合わせて新主ロープ２１の両端をそれぞれ切断し、第四工程として説明した乗かご側端１０およびカウンタウエート側端１１の取り外し時と逆の手順でこの端部を機械室４床まで引き上げ固定する。
【００２５】
このように第四工程および第八工程で説明したロープ交換方法によれば、主ロープ引き上げ手段３７を用いて、機械室４床と乗かご２上との間において乗かご側端１０およびカウンタウエート側端１１の上げ下ろしを行なったため、機械室４床と乗かご２上との間隔が大きく、乗かご２上から昇降路１の天井部の主ロープ７の端部にまで手が届かない場合においても、昇降路１の頂部近傍に足場等を設ける必要なく円滑にロープ交換作業が行なえる。
【００２６】
続く第九工程として、上述した第三工程から第八工程までの作業を必要回数繰り返し、全体の主ロープ交換を行なう。このとき、乗かご２上や昇降路１内の状況に応じて、第四工程および第五工程の作業を主ロープ７の全て、例えば６本のうちの６本を行なっておき、第六工程から第八工程までの作業を必要回数繰り返し、主ロープ交換をすることも可能である。
【００２７】
このような２対１ローピングエレベータの主ロープ端部調整方法によれば、乗かご２を昇降路１の頂部近傍の強度部材へ支持させて仮保持すると共にカウンタウエート３を昇降路１の底部近傍に載置した後、機械室４から主ロープ端引き上げ手段３７を乗かご２まで降下させ、この主ロープ端引き上げ手段３７に主ロープ７を囲むように主ロープ保持手段３７ａを締結し、機械室４から主ロープ端引き上げ手段３７によって主ロープ７の両側端１０，１１を保持した状態で両側端１０，１１を外し、主ロープ引き上げ手段３７を乗かご２まで降下させて、乗かご２において両側端１０，１１を調整した後、この調整された両側端１０，１１を機械室４から主ロープ引き上げ手段３７によって引き上げるようにしているため、従来の主ロープの端部作業のように乗かごの上に作業足場を構成することなく機械室４側から行なうことができるようになり、迅速かつ安全に主ロープ端部作業を行なうことのできる。
【００２８】
上述した２対１ローピングエレベータの主ロープ端部調整方法を含んだ主ロープ交換方法では、所定の位置にテンション負荷装置２７を配置し、このテンション負荷装置２７に、送り出す新主ロープ２１と回収する主ロープ７とが同一軸上のドラムに同方向へ巻き取るようにそれぞれ巻回したため、テンション負荷装置２７から引き出した新主ロープ２１と、テンション負荷装置２７に回収する主ロープ７の間にテンションがかかり、シーブ５にテンションをかけることができることから、シーブ５の回転速度と主ロープ７の移動速度に差が生じることなく、主ロープ７とシーブ５との摩擦を低減し両者の損傷を防止しながら、主ロープ７の交換を円滑かつ迅速に行なうことができる。また乗かご２を乗かご吊り上げ手段１３で吊り、巻上機の両側に位置する主ロープ７の所定位置を主ロープ保持具２８〜３０により仮保持したため、巻上機のシーブ５とプーリ６との間には養生材１５，１９を挟んで配置することが可能になり、複数本の主ロープ７を複数回に分けて交換する際、その時点で交換させない主ロープ７とシーブ５との摩擦を低減し両者の損傷を防止することが可能である。
【００２９】
さらにテンション負荷装置２７をかご上に設置したため、ロープの本数の多いエレベータで主ロープ７の回収ドラム２４および新主ロープドラム２０が多数必要となって最上階乗場３４に設置スペースがない場合にも適用可能である。特に、テンション負荷装置２７を乗かご２の上や内部など乗かご２に設置すると、乗かご２を最上階乗場付近に乗かご吊り上げ手段１３で吊ったとき、最上階乗場の開口部を乗かご２が養生する形となり、特別な養生装置を設けることなく、最上階乗場に設置した回収ドラム２４および新主ロープドラム２０との連携を取りやすい位置となって作業が容易である。
【００３０】
図１０および図１１は、本発明の他の実施の形態による２対１ローピングエレベータの主ロープ端部調整方法を採用したエレベータの縦断面図であり、カウンタウエート３側の既設緩衝機４３を取り外す作業のそれぞれ異なる状態を示している。
【００３１】
先ず、上述した実施の形態における第一工程と同様に、図１１に示すようにカウンタウエート３とほぼ同じ高さ位置となるように乗かご２を停止し、乗かご２上を作業足場としてカウンタプーリ９にロープ交換用ロープ外れ止め３２を設置する。
【００３２】
次に、第二工程として、図１１に示すように既設カウンタウエート側緩衝機４３の上方に位置する昇降路１の強度部材に緩衝機吊り上げ手段４４を取り付け、この緩衝機吊り上げ手段４４により既設カウンタウエート側緩衝機４３を吊り上げ取り外す。続いて図１１の示すように、この取り外した既設カウンタウエート側緩衝機４３の設置されていた位置に、それよりも小さな荷重に対応する仮設緩衝機４６を設置する。この仮設緩衝機４６は、既設カウンタウエート側緩衝機４３を取り外した状態での安全性に対応するものである。その後、乗かご２を低速上昇運転して図１０に示すように昇降路１の最上階乗場３４近傍に停止させて、カウンタウエート３をこの仮設緩衝機４６に載置して仮保持する。このとき、取り外した既設カウンタウエート側緩衝機４３の転倒を防止するために、既設乗かご側緩衝機４５に結束部材４７で仮固定しておく。次に、昇降路１の頂部近傍の強度部材に乗かご吊り上げ手段１３を取り付け、この乗かご吊り上げ手段１３で乗かご２を吊り上げ、主ロープ７のテンションを除去し弛ませる。
【００３３】
この第二工程によって、既設カウンタウエート側緩衝機４３の高さから仮設緩衝機４６の高さを減じた分だけカウンタウエート３を下げ、先の実施の形態の場合よりも乗かご２を上昇させた所定の位置に保持することができる。従って、主ロープ７の両側端１０，１１が機械室４の床部に固定されている２対１ローピングエレベータの場合、昇降路１の天井部と乗かご２上との間隔が大きく乗かご２の上部から昇降路１の天井部における主ロープ７の両側端１０，１１までそのままでは手が届かないが、この状態で、乗かご２の上部を直接作業足場として利用すると、昇降路１の天井部に固定している主ロープ７の乗かご側端１０およびカウンタウエート側端１１に手が届くようになり、先の実施の形態における第四工程の作業の大部分を省略することができる。
【００３４】
しかし、乗かご２を先の実施の形態の場合よりも上方に位置させることによって、最上階乗場３４に昇降路１に至る開口部が形成されることになる。そこで、図１０に示すように乗かご２の下部と、乗かご２に対応する最上階乗場３４の開口部床面間に開口部養生手段４８を設け、この開口部養生手段４８によって同開口部の養生を行なう。この開口部養生手段４８は、乗かご２の下部と開口部床面間に固定されるため、従来の開口部養生手段と比べて設置が容易であり、また開口部の上部が開いているために、乗かご２の上部と最上階乗場３４との連携作業も可能となる。
【００３５】
尚、上述した各実施の形態では、主ロープ７の交換作業の中での主ロープ端部調整方法について説明したが、主ロープ７の切り詰め作業およびテンション調整作業などで主ロープ端部の調整を行なう場合に同様に適用することができ、同等の効果を得ることができる。
【００３６】
【発明の効果】
以上説明したように本発明による２対１ローピングエレベータの主ロープ端部調整方法は、昇降路の天上部と乗かご上との間隔が大きくて乗かご上から昇降路天井部の主ロープ端部まで手が届かない場合でも、主ロープ引き上げ手段を用いて主ロープの端部を機械室から降ろして乗かご上で作業ができるようにしたり、あるいは既設カウンタウエート側緩衝器を外してカウンタウエートの位置を下げた分だけ乗かごを上昇させて乗かごの上部から主ロープ端部まで手が届くようにしたため、従来のように乗かごの上部に作業足場を設置することなく、乗かごの上部から安全かつ迅速に主ロープ端部作業を行なうことができるようになる。
【図面の簡単な説明】
【図１】本発明の一実施の形態による２対１ローピングエレベータの主ロープ端部調整方法を採用した作業終期状態を示すエレベータの要部縦断面図である。
【図２】図１に示したエレベータの作業途中状態を示す縦断面図である。
【図３】図１に示したエレベータの他の作業途中状態を示す縦断面図である。
【図４】図１に示したエレベータの作業初期状態を示す縦断面図である。
【図５】図１に示したエレベータの作業終期状態を示す縦断面図である。
【図６】図１に示したエレベータの他の要部を示す拡大図である。
【図７】図１に示したエレベータのさらに他の要部を示す拡大正面図である。
【図８】図１に示したエレベータのさらに他の要部を示す側面図である。
【図９】図１に示したエレベータのさらに他の要部を示す側面図である。
【図１０】本発明の他の実施の形態による２対１ローピングエレベータの主ロープ端部調整方法を採用した作業途中状態を示すエレベータの縦断面図である。
【図１１】図１０に示したエレベータの作業途中状態を示す縦断面図である。
【図１２】従来の２対１ローピングエレベータの主ロープ端部調整方法を採用した作業途中状態を示すエレベータの縦断面図である。
【符号の説明】
１  昇降路
２  乗かご
３  カウンタウエート
７  主ロープ
１０  乗かご側端
１１  カウンタウエート側端
３７  主ロープ引き上げ手段
３７ａ  主ロープ端部保持手段
４３    既設カウンタウエート側緩衝器
４６    仮設緩衝器
４８    開口部養生手段
【図１】
0003888513.tif 000002
【図２】
0003888513.tif 000003
【図３】
0003888513.tif 000004
【図４】
0003888513.tif 000005
【図５】
0003888513.tif 000006
【図６】
0003888513.tif 000007
【図７】
0003888513.tif 000008
【図８】
0003888513.tif 000009
【図９】
0003888513.tif 000010
【図１０】
0003888513.tif 000011
【図１１】
0003888513.tif 000012
【図１２】
0003888513.tif 000013